(57)【特許請求の範囲】
【請求項１】
基材と、
前記基材上に配置されるレンチキュラーレンズシートと、
ＩＣチップとを備え、
前記基材の表面上には、凹部が形成され、
前記レンチキュラーレンズシートは、前記基材の凹部内のみに固着されており、
前記レンチキュラーレンズシートが固着される凹部内には、さらに凹部としてＩＣチップ収容部が形成され、
前記ＩＣチップは、前記ＩＣチップ収容部内に固着されている、カード。
【請求項２】
前記ＩＣチップの表面はレンチキュラーレンズシートによって覆われている、請求項１に記載のカード。
【請求項３】
前記レンチキュラーレンズシートの表面と前記基材の前記凹部以外の表面とはほぼ同一平面に形成されている、請求項１または請求項２に記載のカード。
【請求項４】
前記基材の表面上には、複数の凹部が形成され、前記レンチキュラーレンズシートは少なくとも１つの前記凹部内において基材に固着されている、請求項１から請求項３までのいずれか１項に記載のカード。
【請求項５】
前記複数の凹部は、前記基材の一方の表面と他方の表面のそれぞれに形成されている、請求項４に記載のカード。
【請求項６】
視覚によって認識される文字および／または図形を含む情報が凹部以外の表面上に配置されている、請求項１から請求項５までのいずれか１項に記載のカード。
【請求項７】
磁気テープを備え、
前記磁気テープは前記凹部以外の表面上に配置されている、請求項１から請求項６までのいずれか１項に記載のカード。
【請求項８】
バーコードを備え、
前記バーコードは前記凹部以外の表面上に配置されている、請求項１から請求項７までのいずれか１項に記載のカード。
【請求項９】
前記凹部は、フライス加工によって形成されている、請求項１から請求項８までのいずれか１項に記載のカード。
【請求項１０】
前記基材は、第１の基材部と第２の基材部とを含み、
前記第１の基材部は、前記第２の基材部の表面の少なくとも一部を覆うように前記第２の基材部上に接着され、
前記第２の基材部において、前記第１の基材部によって覆われた一部以外の部分によって前記凹部が形成されている、請求項１から請求項８までのいずれか１項に記載のカード。
【発明の詳細な説明】
【技術分野】
【０００１】
本発明は、一般的にはカードに関し、特定的には、レンチキュラーレンズシートを備えるカードに関する。
【背景技術】
【０００２】
従来、カードには、レンチキュラーレンズシートを備えるものがある。レンチキュラーレンズシートは、かまぼこ形状の断面を有するレンチキュラーレンズが複数列並べられて構成されるシートである。それぞれのレンチキュラーレンズの平面上、すなわち、レンチキュラーレンズの非レンズ面上に複数種類の絵柄を印刷することによって、レンチキュラーレンズシートを見る角度によって、１つのカード上に複数の絵柄を視認させたり、１つの絵柄を立体的に視認させたりすることができるものである。
【０００３】
例えば、特開平１０−８６５６８号公報（特許文献１）には、カード基材と、カード基材上の一部の領域に設けられたレンチキュラーレンズ部と、レンチキュラーレンズ部の下側に配置され、レンチキュラーレンズ部上から見たときに所定の画角ごとに異なる複数の画像が表示されるように形成された画像表示部とを備えるカードが記載されている。カード基材は透明体によって形成され、カード基材の一部にレンチキュラーレンズ部が設けられている。レンチキュラーレンズ部は、カード基材の切削加工または成型等によって形成されている。
【０００４】
また、特開２００８−７７７１１号公報（特許文献２）には、薄板の片側全面に磁気記録材料が形成され、磁気記録材料が形成されていない面に蒲鉾型レンチキュラーレンズが貼り合わされたレンチキュラーレンズ付き磁気カードが記載されている。
【先行技術文献】
【特許文献】
【０００５】
【特許文献１】特開平１０−８６５６８号公報
【特許文献２】特開２００８−７７７１１号公報
【発明の概要】
【発明が解決しようとする課題】
【０００６】
しかしながら、特開平１０−８６５６８号公報（特許文献１）に記載のカードでは、カード基材の一部にレンチキュラーレンズ部が設けられ、レンチキュラーレンズ部はカード基材の切削加工または成型等によって形成されており、カード基材とレンチキュラーレンズとを別々に製造することができない。そのため、カード基材はレンチキュラーレンズ部と常に同じ材料によって形成されることになり、カードの意匠性を高めることが難しい。また、１種類のカードを大量生産する場合には向くものの、様々な意匠のカードを少量ずつ生産することが難しく、少量ずつ生産する場合にカードの意匠性を高めることが難しい。
【０００７】
また、特開２００８−７７７１１号公報（特許文献２）に記載のレンチキュラーレンズ付き磁気カードでも同様に、カードの意匠性を高めることが難しい。さらにまた、レンチキュラーレンズがカードの全領域に設けられており、カード上に文字等によって情報が示される場合に、情報を視認することが困難になる。
【０００８】
そこで、この発明の目的は、意匠性を高めることが可能であり、かつ、カード上に文字等によって示される情報を視認しやすくすることが可能なカードを提供することである。
【課題を解決するための手段】
【０００９】
この発明に従ったカードは、基材と、基材上に配置されるレンチキュラーレンズシートとを備える。基材の表面上には、凹部が形成されている。レンチキュラーレンズシートは、基材の凹部内のみに固着されている。
【００１０】
レンチキュラーレンズシートを基材の凹部内に固着して基材上に配置するので、基材とレンチキュラーレンズシートとを別々に製造することができる。基材に形成する凹部の形状を変えることによって、様々な意匠のカードを製造することができる。凹部の形状が異なる複数の基材を製造し、一方、基材の凹部の形状に合わせて異なる形状のレンチキュラーレンズシートを形成し、レンチキュラーレンズシートを基材の凹部内のみに固着することによって、様々な意匠のカードを製造することができる。このようにして、カード基材とレンチキュラーレンズシートとを一体的に形成する場合と比較して、カードの意匠性を高めることができる。
【００１１】
また、カード上に文字等によって情報を示す場合には、レンチキュラーレンズシートが配置されない基材の表面上に情報を示すことによって、情報を視認しやすくすることができる。
【００１２】
このようにすることにより、意匠性を高めることが可能であり、かつ、カード上に文字等によって示される情報を視認しやすくすることが可能なカードを提供することができる。
【００１３】
この発明に従ったカードにおいては、レンチキュラーレンズシートの表面と基材の表面とはほぼ同一平面に形成されていることが好ましい。
【００１４】
このようにすることにより、カードの使用性を高めることができる。
【００１５】
この発明に従ったカードにおいては、基材の表面上には、複数の凹部が形成され、レンチキュラーレンズシートは少なくとも１つの凹部内において基材に固着されていることが好ましい。
【００１６】
このようにすることにより、カードの意匠性をより高めることができる。
【００１７】
この発明に従ったカードにおいては、複数の凹部は、基材の一方の表面と他方の表面のそれぞれに形成されていることが好ましい。
【００１８】
このようにすることにより、カードの意匠性をより高めることができる。
【００１９】
この発明に従ったカードは、ＩＣチップを備え、ＩＣチップは凹部内に固着されていることが好ましい。
【００２０】
このようにすることにより、意匠性に優れたＩＣカードを提供することができる。
【００２１】
この発明に従ったカードにおいては、視覚によって認識される文字および／または図形を含む情報が凹部以外の表面上に配置されていることが好ましい。
【００２２】
このようにすることにより、文字および／または図形を含む情報を視認しやすくなる。
【００２３】
この発明に従ったカードは、磁気テープを備え、磁気テープは凹部以外の表面上に配置されていることが好ましい。
【００２４】
このようにすることにより、意匠性に優れた磁気カードを提供することができる。
【００２５】
この発明に従ったカードは、バーコードを備え、バーコードは凹部以外の表面上に配置されていることが好ましい。
【００２６】
このようにすることにより、意匠性に優れたバーコード付きカードを提供することができる。
【００２７】
この発明に従ったカードにおいては、凹部は、フライス加工によって形成されていることが好ましい。
【００２８】
このようにすることにより、凹部を正確に、容易に形成することができる。
【００２９】
この発明に従ったカードにおいては、基材は、第１の基材部と第２の基材部とを含むことが好ましい。第２の基材部は、第１の基材部の表面の少なくとも一部を覆うように第１の基材部上に接着され、第１の基材部において、第２の基材部によって覆われた一部以外の部分によって凹部が形成されていることが好ましい。
【００３０】
このようにすることにより、異なる形状の凹部を有する様々な基材を少量ずつ製造することが容易になる。
【発明の効果】
【００３１】
以上のように、この発明によれば、意匠性を高めることが可能であり、かつ、カード上に文字等によって示される情報を視認しやすくすることが可能なカードを提供することができる。
【図面の簡単な説明】
【００３２】
【図１】本発明の第１実施形態のカードの正面を示す図（Ａ）と、図１の（Ａ）に示すＢ−Ｂ線の方向から見た断面を示す図（Ｂ）である。
【図２】本発明の第１実施形態のカードの製造工程を順に示す図である。
【図３】本発明の第１実施形態のカードの製造工程の別の例を順に示す図である。
【図４】本発明の第１実施形態のカードの製造工程のまた別の例を順に示す図である。
【図５】本発明の第２実施形態のカードの正面を示す図（Ａ）と、図５の（Ａ）に示すＢ−Ｂ線の方向から見た断面を示す図（Ｂ）である。
【図６】本発明の第３実施形態のカードの正面を示す図（Ａ）と、図６の（Ａ）に示すＢ−Ｂ線の方向から見た断面を示す図（Ｂ）である。
【図７】本発明の第４実施形態のカードの正面を示す図（Ａ）と、図７の（Ａ）に示すＢ−Ｂ線の方向から見た断面を示す図（Ｂ）である。
【図８】本発明の第５実施形態のカードの正面を示す図（Ａ）と、背面を示す図（Ｂ）と、図８の（Ａ）に示すＣ−Ｃ線の方向から見た断面を示す図（Ｃ）である。
【図９】本発明の第６実施形態のカードの正面を示す図（Ａ）と、図９の（Ａ）に示すＢ−Ｂ線の方向から見た断面を示す図（Ｂ）である。
【図１０】本発明の第７実施形態のカードの正面を示す図（Ａ）と、背面を示す図（Ｂ）と、図１０の（Ａ）に示すＣ−Ｃ線の方向から見た断面を示す図（Ｃ）である。
【図１１】本発明の第８実施形態のカードの正面を示す図（Ａ）と、図１１の（Ａ）に示すＢ−Ｂ線の方向から見た断面を示す図（Ｂ）である。
【発明を実施するための形態】
【００３３】
以下、この発明の実施の形態を図面に基づいて説明する。
【００３４】
（第１実施形態）
図１に示すように、この発明の第１実施形態のカード１は、基材１１０と、基材１１０上に配置されるレンチキュラーレンズシート１２０とを備える。図１の（Ａ）に示すように、基材１１０上には、文字等によって情報を示す情報表示部１３０が配置されている。
【００３５】
図１の（Ｂ）に示すように、カード１の基材１１０の表面上には、凹部１１１が表面１１２上に形成されている。レンチキュラーレンズシート１２０は、基材１１０の凹部１１１内に固着されている。レンチキュラーレンズシート１２０は、基材１１０の凹部１１１以外の表面１１２上には配置されていない。レンチキュラーレンズシート１２０の表面と基材１１０の凹部１１１以外の表面１１２の表面とはほぼ同一平面に形成されている。また、レンチキュラーレンズシート１２０は、凹部１１１とほぼ同じ形状に形成されている。レンチキュラーレンズシート１２０は、基材１１０の凹部１１１を形成する壁との間に隙間ができないように、凹部１１１に嵌めこまれている。レンチキュラーレンズシート１２０は、凹部１１１以外の表面１１２によって囲まれている。
【００３６】
基材１１０は、例えば、紙や木材、石材、貝、皮革などの天然材料や、アクリル樹脂や塩化ビニルのような合成樹脂材料によって板状に形成される。基材１１０は他の材質によって形成されていてもよい。基材１１０の全体は、例えば、ＩＤカード、キャッシュカード、クレジットカード、プリペイドカード、名札、名刺、しおり、はがき、贈答用カード、掲示用カード、または、挨拶状として使用可能な大きさに形成される。基材１１０は、使用目的に応じて、例えば通帳の大きさなど、他の大きさに形成されていてもよい。
【００３７】
基材１１０の凹部１１１上にはレンチキュラーレンズシート１２０が固着されている。レンチキュラーレンズシート１２０としては、公知のものが用いられる。レンチキュラーレンズシート１２０の非レンズ面には、凹部１１１内に固着される前に絵柄等が印刷され、レンチキュラーレンズシート１２０を見る角度によって、１つのカード１上に複数の絵柄を視認させたり、１つの絵柄を立体的に視認させたりすることができるように構成されている。
【００３８】
一方、基材１１０の凹部１１１以外の表面１１２上には、レンチキュラーレンズシート１２０が配置されていない。凹部１１１以外の表面１１２上には情報表示部１３０が配置されている。情報表示部１３０には、カード１の発行者の名称や商標等を表示してもよいし、他の情報を表示してもよい。また、情報表示部１３０に表示される情報は、文字のみで構成されていてもよいし、図形のみで構成されていてもよいし、文字と図形とを組み合わせて構成されていてもよく、地模様であってもよい。
【００３９】
次に、カード１の製造工程について説明する。以下の図２〜図４では、図１に示すカード１を図１の（Ａ）のＢ−Ｂ線の方向から見た時の断面を用いて説明する。
【００４０】
カード１の第１の製造方法としては、まず、図２の（Ａ）に示すように、基材用材１０を準備する。次に、図２の（Ｂ）に示すように、基材用材１０の表面上に、フライス加工によって凹部１１１を形成して、基材１１０とする。最後に、図２の（Ｃ）に示すように、凹部１１１内にレンチキュラーレンズシート１２０を固着する。レンチキュラーレンズシート１２０は、常温硬化型の接着剤で接着されて固着される。常温硬化型の接着剤で接着することによって、接着時に凹部１１１が変形することを防ぐことができる。このようにして、カード１が製造される。
【００４１】
このように、カード１においては、凹部１１１は、フライス加工によって形成されていることが好ましい。このようにすることにより、凹部１１１を正確に、容易に形成することができる。
【００４２】
カード１の第２の製造方法としては、まず、図３の（Ａ）に示すように、第１の基材部１１と第２の基材部１２とを準備する。第１の基材部１１上には、ベタ印刷されたベタ印刷部１１ａが形成されている。次に、図３の（Ｂ）に示すように、第１の基材部１１と第２の基材部１２とを融着する。このとき、ベタ印刷部１１ａが第１の基材部１１と第２の基材部１２との間に挟まれるようにする。そして、第２の基材部１２においてベタ印刷部１１ａと重なる部分の輪郭に沿って切り込み１２ａを入れてハーフカットする。次に、図３の（Ｃ）に示すように、ベタ印刷部１１ａと重なる第２の基材部１２をプレス加工で取り除くことによって、凹部１１１を形成して、基材１１０とする。最後に、図２の（Ｄ）に示すように、凹部１１１内にレンチキュラーレンズシート１２０を固着する。レンチキュラーレンズシート１２０は、常温硬化型の接着剤で接着されて固着される。常温硬化型の接着剤で接着することによって、接着時に凹部１１１が変形することを防ぐことができる。このようにして、カード１が製造される。
【００４３】
このように、カード１においては、基材１１０は、第１の基材部１１と第２の基材部１２とを含むことが好ましい。第２の基材部１２は、第１の基材部１１の表面の少なくとも一部を覆うように第１の基材部１１上に接着され、第１の基材部１１において、第２の基材部１２によって覆われた一部以外の部分によって凹部１１１が形成されていることが好ましい。このようにすることにより、異なる形状の凹部１１１を有する様々な基材１１０を少量ずつ製造することが容易になる。
【００４４】
カード１の第３の製造方法としては、まず、図４の（Ａ）に示すように、第１の基材部１１と第２の基材部１２とを準備する。第２の基材部１２には、プレス加工によって型抜きされた型抜き部１２ｂが形成されている。次に、図４の（Ｂ）に示すように、第１の基材部１１と第２の基材部１２とをコールド接着することによって、凹部１１１を形成して、基材１１０とする。コールド接着することによって、接着時に型抜き部１２ｂが変形することを防ぐことができる。最後に、図４の（Ｃ）に示すように、凹部１１１内にレンチキュラーレンズシート１２０を固着する。レンチキュラーレンズシート１２０は、常温硬化型の接着剤で接着されて固着される。常温硬化型の接着剤で接着することによって、接着時に凹部１１１が変形することを防ぐことができる。このようにして、カード１が製造される。
【００４５】
このように、カード１においては、基材１１０は、第１の基材部１１と第２の基材部１２とを含むことが好ましい。第２の基材部１２は、第１の基材部１１の表面の少なくとも一部を覆うように第１の基材部１１上に接着され、第１の基材部１１において、第２の基材部１２によって覆われた一部以外の部分によって凹部１１１が形成されていることが好ましい。このようにすることにより、異なる形状の凹部１１１を有する様々な基材１１０を少量ずつ製造することが容易になる。
【００４６】
カード１は、上述の方法とは異なる方法によって製造されてもよい。カード１は、上述の方法の他に、例えば、成型加工によって製造されてもよい。カード１を成型加工によって製造する場合には、成型金型によって基材１１０上に凹部１１１が形成される。いずれの方法によって製造されても、カード１の基材１１０の凹部１１１内にはレンチキュラーレンズシート１２０が固着される。カード１の凹部１１１内にレンチキュラーレンズシート１２０が固着されることによって、基材１１０とレンチキュラーレンズシート１２０とを一体として、そのままで持ち運んだり、商品棚に陳列したり、使用したりすることができる。
【００４７】
以上のように、カード１は、基材１１０と、基材１１０上に配置されるレンチキュラーレンズシート１２０とを備える。基材１１０の表面上には、凹部１１１が形成されている。レンチキュラーレンズシート１２０は、基材１１０の凹部１１１内のみに固着されている。レンチキュラーレンズシート１２０は、基材１１０の凹部１１１以外の表面１１２上には配置されていない。
【００４８】
レンチキュラーレンズシート１２０を基材１１０の凹部１１１内に固着して基材１１０上に配置するので、基材１１０とレンチキュラーレンズシート１２０とを別々に製造することができる。基材１１０に形成する凹部１１１の形状を変えることによって、様々な意匠のカード１を製造することができる。凹部１１１の形状が異なる複数の基材１１０を製造し、一方、基材１１０の凹部１１１の形状に合わせて異なる形状のレンチキュラーレンズシート１２０を形成し、レンチキュラーレンズシート１２０を基材１１０の凹部１１１内に固着することによって、様々な意匠のカード１を製造することができる。このようにして、カード１基材１１０とレンチキュラーレンズシート１２０とを一体的に形成する場合と比較して、カード１の意匠性を高めることができる。
【００４９】
また、カード１上に文字等によって情報を示す場合には、レンチキュラーレンズが配置されない基材１１０の凹部１１１以外の表面１１２上に情報を示すことによって、情報を視認しやすくすることができる。
【００５０】
このようにすることにより、意匠性を高めることが可能であり、かつ、カード１上に文字等によって示される情報を視認しやすくすることが可能なカード１を提供することができる。
【００５１】
また、カード１においては、レンチキュラーレンズシート１２０の表面と基材１１０の凹部１１１以外の表面１１２とはほぼ同一平面に形成されている。このようにすることにより、カード１の使用性を高めることができる。
【００５２】
また、カード１においては、視覚によって認識される文字および／または図形を含む情報表示部１３０が凹部１１１以外の表面１１２上に配置されている。このようにすることにより、文字および／または図形を含む情報を視認しやすくなる。
【００５３】
（第２実施形態）
図５に示すように、この発明の第２実施形態のカード２は、基材２１０と、基材２１０上に配置されるレンチキュラーレンズシート２２０とを備える。図５の（Ａ）に示すように、基材２１０上には、文字等によって情報を示す情報表示部２３０が配置されている。
【００５４】
図５の（Ｂ）に示すように、カード２の基材２１０の表面上には、凹部２１１が形成されている。レンチキュラーレンズシート２２０は、基材２１０の凹部２１１内のみに固着されている。レンチキュラーレンズシート２２０は、基材２１０の凹部２１１以外の表面２１２上には配置されていない。レンチキュラーレンズシート２２０の表面と基材２１０の凹部２１１以外の表面２１２とはほぼ同一平面に形成されている。また、レンチキュラーレンズシート２２０は、凹部２１１とほぼ同じ形状に形成されている。レンチキュラーレンズシート２２０は、基材２１０の凹部２１１を形成する壁との間に隙間ができないように、凹部２１１上に固着されている。第２実施形態のカード２が第１実施形態のカード１と異なる点としては、第２実施形態のカード２のレンチキュラーレンズシート２２０は、凹部２１１以外の表面２１２によって囲まれていない。
【００５５】
基材２１０の凹部２１１以外の表面２１２上には情報表示部２３０が配置されている。情報表示部２３０には、カード２の発行者の名称や商標等を表示してもよいし、他の情報を表示してもよい。また、凹部２１１以外の表面２１２には、カード２の基材２１０を貫通する孔２４０が形成されている。使用者は、孔２４０に例えばひもを通して、カード２を携帯したり、カード２を装飾したりすることができる。
【００５６】
第２実施形態のカード２は、第１実施形態のカード１と同様に製造される。
【００５７】
以上のように、カード２は、基材２１０と、基材２１０上に配置されるレンチキュラーレンズシート２２０とを備える。基材２１０の表面上には、凹部２１１が形成されている。レンチキュラーレンズシート２２０は、基材２１０の凹部２１１内のみに固着されている。レンチキュラーレンズシート２２０は、基材２１０の凹部２１１以外の表面２１２上には配置されていない。
【００５８】
このようにすることにより、意匠性を高めることが可能であり、かつ、カード２上に文字等によって示される情報を視認しやすくすることが可能なカード２を提供することができる。
【００５９】
また、カード２においては、レンチキュラーレンズシート２２０の表面と基材２１０の表面２１２とはほぼ同一平面に形成されていることが好ましい。このようにすることにより、カード２の使用性を高めることができる。
【００６０】
また、カード２においては、視覚によって認識される文字および／または図形を含む情報表示部２３０が凹部２１１以外の表面２１２上に配置されている。このようにすることにより、文字および／または図形を含む情報を視認しやすくなる。
【００６１】
第２実施形態のカード２のその他の構成と効果は、第１実施形態のカード１と同様である。
【００６２】
（第３実施形態）
図６に示すように、この発明の第３実施形態のカード３は、基材３１０と、基材３１０上に配置されるレンチキュラーレンズシート３２０とを備える。図６の（Ａ）に示すように、基材３１０上には、文字等によって情報を示す情報表示部３３０が配置されている。
【００６３】
図６の（Ｂ）に示すように、カード３の基材３１０の表面上には、凹部３１１が形成されている。レンチキュラーレンズシート３２０は、基材３１０の凹部３１１内のみに固着されている。レンチキュラーレンズシート３２０は、基材３１０の凹部３１１以外の表面３１２上には配置されていない。レンチキュラーレンズシート３２０の表面と基材３１０の凹部３１１以外の表面３１２とはほぼ同一平面に形成されている。また、レンチキュラーレンズシート３２０は、凹部３１１とほぼ同じ形状に形成されている。レンチキュラーレンズシート３２０は、基材３１０の凹部３１１を形成する壁との間に隙間ができないように、凹部３１１上に固着されている。第３実施形態のカード３が第１実施形態のカード１と異なる点としては、第３実施形態のカード３においては、レンチキュラーレンズシート３２０が凹部３１１以外の表面３１２を取り囲む形状に形成されている。
【００６４】
基材３１０の凹部３１１以外の表面３１２上には情報表示部３３０が配置されている。情報表示部３３０には、カード３の発行者の名称や商標等を表示してもよいし、他の情報を表示してもよい。また、凹部３１１上のレンチキュラーレンズシート３２０には、レンチキュラーレンズシート３２０とカード３の基材３１０を貫通する孔３４０が形成されている。使用者は、孔３４０に例えばひもを通して、カード３を携帯したり、カード３を装飾したりすることができる。
【００６５】
第３実施形態のカード３は、第１実施形態のカード１と同様に製造される。
【００６６】
以上のように、カード３は、基材３１０と、基材３１０上に配置されるレンチキュラーレンズシート３２０とを備える。基材３１０の表面上には、凹部３１１が形成されている。レンチキュラーレンズシート３２０は、基材３１０の凹部３１１内のみに固着されている。レンチキュラーレンズシート３２０は、基材３１０の凹部３１１以外の表面３１２上には配置されていない。
【００６７】
このようにすることにより、意匠性を高めることが可能であり、かつ、カード３上に文字等によって示される情報を視認しやすくすることが可能なカード３を提供することができる。
【００６８】
また、カード３においては、レンチキュラーレンズシート３２０の表面と基材３１０の凹部３１１以外の表面３１２とはほぼ同一平面に形成されている。このようにすることにより、カード３の使用性を高めることができる。
【００６９】
また、カード３においては、視覚によって認識される文字および／または図形を含む情報表示部３３０が凹部３１１以外の表面３１２上に配置されている。このようにすることにより、文字および／または図形を含む情報を視認しやすくなる。
【００７０】
第３実施形態のカード３のその他の構成と効果は、第１実施形態のカード１と同様である。
【００７１】
（第４実施形態）
図７に示すように、この発明の第４実施形態のカード４は、基材４１０と、基材４１０上に配置されるレンチキュラーレンズシート４２１とレンチキュラーレンズシート４２２とを備える。図７の（Ａ）に示すように、基材４１０上には、文字等によって情報を示す情報表示部４３０が配置されている。
【００７２】
図７の（Ｂ）に示すように、カード４の基材４１０の表面上には、複数の凹部４１１と凹部４１２とが形成されている。レンチキュラーレンズシート４２１は、基材４１０の凹部４１１内のみに固着され、レンチキュラーレンズシート４２２は、基材４１０の凹部４１２内のみに固着されている。レンチキュラーレンズシート４２１とレンチキュラーレンズシート４２２は、基材４１０の凹部４１１と凹部４１２以外の表面４１３上には配置されていない。レンチキュラーレンズシート４２１とレンチキュラーレンズシート４２２の表面と、基材４１０の表面４１３とはほぼ同一平面に形成されている。また、レンチキュラーレンズシート４２１は、凹部４１１とほぼ同じ形状に形成され、レンチキュラーレンズシート４２２は、凹部４１２とほぼ同じ形状に形成されている。レンチキュラーレンズシート４２１は、基材４１０の凹部４１１を形成する壁との間に隙間ができないように、凹部４１１上に固着されている。レンチキュラーレンズシート４２２は、基材４１０の凹部４１２を形成する壁との間に隙間ができないように、凹部４１２上に固着されている。第４実施形態のカード４が第１実施形態のカード１と異なる点としては、第４実施形態のカード４のレンチキュラーレンズシート４２１は凹部４１１に配置され、レンチキュラーレンズシート４２２は凹部４１２に配置されている。
【００７３】
基材４１０の表面４１３上には情報表示部４３０が配置されている。情報表示部４３０には、カード４の発行者の名称や商標等を表示してもよいし、他の情報を表示してもよい。
【００７４】
第４実施形態のカード４は、第１実施形態のカード１と同様に製造される。
【００７５】
以上のように、カード４は、基材４１０と、基材４１０上に配置されるレンチキュラーレンズシート４２１とレンチキュラーレンズシート４２２とを備える。基材４１０の表面上には、凹部４１１と凹部４１２とが形成されている。レンチキュラーレンズシート４２１は、基材４１０の凹部４１１内のみに固着されている。レンチキュラーレンズシート４２２は、基材４１０の凹部４１２内のみに固着されている。レンチキュラーレンズシート４２１とレンチキュラーレンズシート４２２は、基材４１０の凹部４１１と凹部４１２以外の表面４１３上には配置されていない。
【００７６】
このようにすることにより、意匠性を高めることが可能であり、かつ、カード４上に文字等によって示される情報を視認しやすくすることが可能なカード４を提供することができる。
【００７７】
また、カード４においては、レンチキュラーレンズシート４２１の表面とレンチキュラーレンズシート４２２の表面と基材４１０の表面４１３とはほぼ同一平面に形成されていることが好ましい。このようにすることにより、カード４の使用性を高めることができる。
【００７８】
また、カード４においては、基材４１０の表面上には、複数の凹部４１１と凹部４１２とが形成され、レンチキュラーレンズシート４２１は凹部４１１内において基材４１０に固着され、レンチキュラーレンズシート４２２は凹部４１２内において基材４１０に固着されている。このようにすることにより、カード４の意匠性をより高めることができる。
【００７９】
また、カード４においては、視覚によって認識される文字および／または図形を含む情報表示部４３０が凹部４１１と凹部４１２以外の表面４１２上に配置されている。このようにすることにより、文字および／または図形を含む情報を視認しやすくなる。
【００８０】
第４実施形態のカード４のその他の構成と効果は、第１実施形態のカード１と同様である。
【００８１】
（第５実施形態）
図８に示すように、この発明の第５実施形態のカード５は、基材５１０と、基材５１０上に配置されるレンチキュラーレンズシート５２１（図８（Ａ)）と、レンチキュラーレンズシート５２２（図８（Ｂ）)とを備える。
【００８２】
図８の（Ａ）に示すように、基材５１０の一方の面の上には、レンチキュラーレンズシート５２１と、文字等によって情報を示す情報表示部５３１が配置されている。レンチキュラーレンズシート５２１は、レンチキュラーレンズシート５２１が配置されていない部分の基材５１０によって囲まれるように配置されている。
【００８３】
図８の（Ｂ）に示すように、基材５１０の他方の面にも、レンチキュラーレンズシート５２２と情報表示部５３２とが基材５１０上に配置されている。レンチキュラーレンズシート５２２は、レンチキュラーレンズシート５２２が配置されていない部分の基材５１０を取り囲むように配置されている。
【００８４】
図８の（Ｃ）に示すように、カード５の基材５１０の一方の表面上には、凹部５１１が形成され、レンチキュラーレンズシート５２１は、基材５１０の凹部５１１内のみに固着されている。レンチキュラーレンズシート５２１は、基材５１０の凹部５１１以外の表面５１２上には配置されていない。また、レンチキュラーレンズシート５２１は、凹部５１１とほぼ同じ形状に形成されている。レンチキュラーレンズシート５２１は、基材５１０の凹部５１１を形成する壁との間に隙間ができないように、凹部５１１上に固着されている。レンチキュラーレンズシート５２１は、凹部５１１以外の表面５１２によって囲まれるように配置されている。基材５１０の凹部５１１以外の表面５１２上には情報表示部５３１が配置されている（図８（Ａ））。情報表示部５３１には、カード５の発行者の名称や商標等を表示してもよいし、他の情報を表示してもよい。
【００８５】
カード５の基材５１０の他方の表面上には、凹部５１３が形成され、レンチキュラーレンズシート５２２は、基材５１０の凹部５１３内のみに固着されている。レンチキュラーレンズシート５２２の表面と基材５１０の凹部５１３以外の表面５１４とはほぼ同一平面に形成されている。レンチキュラーレンズシート５２２は、基材５１０の凹部５１３以外の表面５１４上には配置されていない。また、レンチキュラーレンズシート５２２は、凹部５１３とほぼ同じ形状に形成されている。レンチキュラーレンズシート５２２は、基材５１０の凹部５１３を形成する壁との間に隙間ができないように、凹部５１３上に固着されている。レンチキュラーレンズシート５２２は、凹部５１３以外の表面５１４を囲むように配置されている。基材５１０の凹部５１３以外の表面５１４上には情報表示部５３２が配置されている（図８（Ｂ））。情報表示部５３２には、カード５の発行者の名称や商標等を表示してもよいし、他の情報を表示してもよい。
【００８６】
第５実施形態のカード５は、第１実施形態のカード１と同様に製造される。
【００８７】
以上のように、カード５は、基材５１０と、基材５１０上に配置されるレンチキュラーレンズシート５２１とレンチキュラーレンズシート５２２とを備える。基材５１０の一方の表面上には、凹部５１１が形成されている。レンチキュラーレンズシート５２１は、基材５１０の凹部５１１内のみに固着されている。レンチキュラーレンズシート５２１は、基材５１０の凹部５１１以外の表面５１２上には配置されていない。基材５１０の他方の表面上には凹部５１３が形成されている。レンチキュラーレンズシート５２２は、基材５１０の凹部５１３内のみに固着されている。レンチキュラーレンズシート５２２は、基材５１０の凹部５１３以外の表面５１４上には配置されていない。
【００８８】
このようにすることにより、意匠性を高めることが可能であり、かつ、カード５上に文字等によって示される情報を視認しやすくすることが可能なカード５を提供することができる。
【００８９】
また、カード５においては、レンチキュラーレンズシート５２１の表面と基材５１０の凹部５１１以外の表面５１２とはほぼ同一平面に形成され、レンチキュラーレンズシート５２２の表面と基材５１０の凹部５１３以外の表面５１４の表面とはほぼ同一平面に形成されている。このようにすることにより、カード５の使用性を高めることができる。
【００９０】
また、カード５においては、基材５１０の表面上には、複数の凹部５１１と凹部５１３が形成され、レンチキュラーレンズシート５２１は凹部５１１内において基材５１０に固着され、レンチキュラーレンズシート５２２は凹部５１３内において基材５１０に固着されている。このようにすることにより、カード５の意匠性をより高めることができる。
【００９１】
また、カード５においては、複数の凹部５１１と凹部５１３とは、基材５１０の一方の表面と他方の表面のそれぞれに形成されている。このようにすることにより、カード５の意匠性をより高めることができる。
【００９２】
また、カード５においては、視覚によって認識される文字および／または図形を含む情報表示部５３１が凹部５１１以外の表面５１２上に配置され、情報表示部５３２が凹部５１２以外の表面５１４上に配置されている。このようにすることにより、文字および／または図形を含む情報を視認しやすくなる。
【００９３】
第５実施形態のカード５のその他の構成と効果は、第１実施形態のカード１と同様である。
【００９４】
（第６実施形態）
図９に示すように、この発明の第６実施形態のカード６は、基材６１０と、基材６１０上に配置されるレンチキュラーレンズシート６２０と、ＩＣチップ６４０とを備える。図９の（Ａ）に示すように、基材６１０上には、文字等によって情報を示す情報表示部６３０が配置されている。
【００９５】
図９の（Ｂ）に示すように、カード６の基材６１０の表面上には、凹部６１１と、ＩＣチップ収容部６１３が形成されている。ＩＣチップ収容部６１３は、凹部６１１の一部にさらに凹部として形成されている。
【００９６】
レンチキュラーレンズシート６２０は、基材６１０の凹部６１１内のみに固着されている。レンチキュラーレンズシート６２０は、基材６１０の凹部６１１以外の表面６１２上には配置されていない。レンチキュラーレンズシート６２０の表面と基材６１０の凹部６１１以外の表面６１２とはほぼ同一平面に形成されている。また、レンチキュラーレンズシート６２０は、凹部６１１とほぼ同じ形状に形成されている。レンチキュラーレンズシート６２０は、凹部６１１以外の表面６１２によって囲まれるように、基材６１０の凹部６１１を形成する壁との間に隙間ができないように、凹部６１１上に固着されている。
【００９７】
基材６１０の凹部６１１以外の表面６１２上には情報表示部６３０が配置されている。情報表示部６３０には、カード６の発行者の名称や商標等を表示してもよいし、他の情報を表示してもよい。
【００９８】
ＩＣチップ収容部６１３内には、ＩＣチップ６４０が収容されている。ＩＣチップ６４０の表面は、レンチキュラーレンズシート６２０の表面と基材６１０の表面６１２とほぼ同一平面に形成されている。なお、ＩＣチップ収容部６１３は、凹部６１１から離れた位置に、凹部６１１とは別個に形成されてもよい。
【００９９】
第６実施形態のカード６は、第１実施形態のカード１と同様に製造される。
【０１００】
以上のように、カード６は、基材６１０と、基材６１０上に配置されるレンチキュラーレンズシート６２０とを備える。基材６１０の表面上には、凹部６１１が形成されている。レンチキュラーレンズシート６２０は、基材６１０の凹部６１１内のみに固着されている。レンチキュラーレンズシート６２０は、基材６１０の凹部６１１以外の表面６１２上には配置されていない。
【０１０１】
このようにすることにより、意匠性を高めることが可能であり、かつ、カード６上に文字等によって示される情報を視認しやすくすることが可能なカード６を提供することができる。
【０１０２】
また、カード６においては、レンチキュラーレンズシート６２０の表面と基材６１０の凹部６１１以外の表面６１２とはほぼ同一平面に形成されている。このようにすることにより、カード６の使用性を高めることができる。
【０１０３】
また、カード６は、ＩＣチップ６４０を備え、ＩＣチップ６４０はＩＣチップ収容部６１３内に固着されている。このようにすることにより、意匠性に優れたＩＣカード６を提供することができる。
【０１０４】
また、カード６においては、視覚によって認識される文字および／または図形を含む情報表示部６３０が凹部６１１以外の表面６１２上に配置されている。このようにすることにより、文字および／または図形を含む情報を視認しやすくなる。
【０１０５】
第６実施形態のカード６のその他の構成と効果は、第１実施形態のカード１と同様である。
【０１０６】
（第７実施形態）
図１０に示すように、この発明の第７実施形態のカード７は、基材７１０と、基材７１０上に配置されるレンチキュラーレンズシート７２０と、磁気テープ７４１と、バーコード７４２とを備える。図１０の（Ａ）に示すように、基材７１０の一方の表面上には、レンチキュラーレンズシート７２０と、文字等によって情報を示す情報表示部７３０とが配置されている。図１０の（Ｂ）に示すように、基材７１０の他方の表面上には、磁気テープ７４１とバーコード７４２とが配置されている。
【０１０７】
図１０の（Ｃ）に示すように、カード７の基材７１０の一方の表面上には、凹部７１１とが形成されている。レンチキュラーレンズシート７２０は、基材７１０の凹部７１１内のみに固着されている。レンチキュラーレンズシート７２０は、基材７１０の凹部７１１以外の表面７１２上には配置されていない。レンチキュラーレンズシート７２０の表面と基材７１０の凹部７１１以外の表面７１２とはほぼ同一平面に形成されている。また、レンチキュラーレンズシート７２０は、凹部７１１とほぼ同じ形状に形成されている。レンチキュラーレンズシート７２０は、凹部７１１以外の表面７１２によって囲まれるように、基材７１０の凹部７１１を形成する壁との間に隙間ができないように、凹部７１１上に固着されている。
【０１０８】
基材７１０の凹部７１１以外の表面７１２上には情報表示部７３０が配置されている。情報表示部７３０には、カード７の発行者の名称や商標等を表示してもよいし、他の情報を表示してもよい。
【０１０９】
磁気テープ７４１やバーコード７４２には、情報表示部７３０に表示される情報以外の情報が収納されていてもよいし、情報表示部７３０に表示される情報と同じ内容の情報が収納されていてもよい。磁気テープ７４１とバーコード７４２に収納されている情報は、公知の方法によって読み取られる。なお、この実施形態においては、磁気テープ７４１とバーコード７４２は、レンチキュラーレンズシート７２０が配置されている側の表面７１２の裏面上に配置されいるが、レンチキュラーレンズシート７２０が配置されている側の凹部７１１以外の表面７１２上に配置されててもよい。
【０１１０】
第７実施形態のカード７は、第１実施形態のカード１と同様に製造される。
【０１１１】
以上のように、カード７は、基材７１０と、基材７１０上に配置されるレンチキュラーレンズシート７２０とを備える。基材７１０の表面上には、凹部７１１が形成されている。レンチキュラーレンズシート７２０は、基材７１０の凹部７１１内のみに固着されている。レンチキュラーレンズシート７２０は、基材７１０の凹部７１１以外の表面７１２上には配置されていない。
【０１１２】
このようにすることにより、意匠性を高めることが可能であり、かつ、カード７上に文字等によって示される情報を視認しやすくすることが可能なカード７を提供することができる。
【０１１３】
また、カード７においては、レンチキュラーレンズシート７２０の表面と基材７１０の凹部７１１以外の表面７１２とはほぼ同一平面に形成されている。このようにすることにより、カード７の使用性を高めることができる。
【０１１４】
また、カード７においては、視覚によって認識される文字および／または図形を含む情報表示部７３０が凹部７１１以外の表面として、表面７１２の裏面上に配置されている。このようにすることにより、文字および／または図形を含む情報を視認しやすくなる。
【０１１５】
また、カード７は、磁気テープ７４１とバーコード７４２とを備える。磁気テープ７４１とバーコード７４２とは、凹部７１１以外の表面７１２上に配置されている。このようにすることにより、意匠性に優れたバーコード付き磁気カード７を提供することができる。なお、カード７は磁気テープ７４１とバーコード７４２との両方を備えるが、使用目的によって、磁気テープ７４１とバーコード７４２のいずれか一方のみを備えるように構成されていてもよい。
【０１１６】
第７実施形態のカード７のその他の構成と効果は、第１実施形態のカード１と同様である。
【０１１７】
（第８実施形態）
図１１に示すように、この発明の第８実施形態のカード８は、基材８１０と、基材８１０上に配置されるレンチキュラーレンズシート８２０と、非接触型ＩＣチップ８４１と、ホログラム箔８４２とを備える。図１１の（Ａ）に示すように、基材８１０の表面上には、文字等によって情報を示す情報表示部８３０と、ホログラム箔８４２とが配置されている。一方、非接触型ＩＣチップ８４１は、基材８１０の外側からは見えないように配置されている。
【０１１８】
図１１の（Ｂ）に示すように、カード８の基材８１０の表面上には、凹部８１１と、ＩＣチップ収容部８１３が形成されている。ＩＣチップ収容部８１３は、凹部８１１の一部にさらに凹部として形成されている。
【０１１９】
レンチキュラーレンズシート８２０は、基材８１０の凹部８１１内のみに固着されている。レンチキュラーレンズシート８２０は、基材８１０の凹部８１１以外の表面８１２上には配置されていない。レンチキュラーレンズシート８２０の表面と基材８１０の凹部８１１以外の表面８１２とはほぼ同一平面に形成されている。また、レンチキュラーレンズシート８２０は、凹部８１１とほぼ同じ形状に形成されている。レンチキュラーレンズシート８２０は、凹部８１１以外の表面８１２によって囲まれるように、基材８１０の凹部８１１を形成する壁との間に隙間ができないように、凹部８１１上に固着されている。
【０１２０】
基材８１０の凹部８１１以外の表面８１２上には情報表示部８３０とホログラム箔８４２とが配置されている。情報表示部８３０には、カード８の発行者の名称や商標等を表示してもよいし、他の情報を表示してもよい。
【０１２１】
ＩＣチップ収容部８１３内には、非接触型ＩＣチップ８４１が収容されている。非接触型ＩＣチップ８４１は、ＩＣチップ収容部８１３内に固着されている。非接触型ＩＣチップ８４１の表面は、レンチキュラーレンズシート８２０によって覆われている。なお、ＩＣチップ収容部８１３は、凹部８１１から離れた位置に、凹部８１１とは別個に形成されてもよい。ＩＣチップ収容部８１３が凹部８１１から離れた位置に形成される場合には、非接触型ＩＣチップ８４１は基材上に埋め込まれる。
【０１２２】
第８実施形態のカード８は、第１実施形態のカード１と同様に製造される。
【０１２３】
以上のように、カード８は、基材８１０と、基材８１０上に配置されるレンチキュラーレンズシート８２０とを備える。基材８１０の表面上には、凹部８１１が形成されている。レンチキュラーレンズシート８２０は、基材８１０の凹部８１１内のみに固着されている。レンチキュラーレンズシート８２０は、基材８１０の凹部８１１以外の表面８１２上には配置されていない。
【０１２４】
このようにすることにより、意匠性を高めることが可能であり、かつ、カード８上に文字等によって示される情報を視認しやすくすることが可能なカード８を提供することができる。
【０１２５】
また、カード８においては、レンチキュラーレンズシート８２０の表面と基材８１０の凹部８１１以外の表面８１２とはほぼ同一平面に形成されている。このようにすることにより、カード８の使用性を高めることができる。
【０１２６】
また、カード８は、非接触型ＩＣチップ８４１を備え、非接触型ＩＣチップ８４１はＩＣチップ収容部８１３内に固着されている。このようにすることにより、意匠性に優れたＩＣカード８を提供することができる。
【０１２７】
また、カード８においては、視覚によって認識される文字および／または図形を含む情報表示部８３０が凹部８１１以外の表面８１２上に配置されている。このようにすることにより、文字および／または図形を含む情報を視認しやすくなる。
【０１２８】
第８実施形態のカード８のその他の構成と効果は、第１実施形態のカード１と同様である。
【０１２９】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【符号の説明】
【０１３０】
１，２，３，４，５，６，７，８：カード、１１０，２１０，３１０，４１０，５１０，６１０，７１０，８１０：基材、１１１，２１１，３１１，４１１，４１２，５１１，５１３，６１１，７１１，８１１：凹部、１１２，２１２，３１２，４１３，５１２，５１４，６１２，７１２，８１２：表面、１２０，２２０，３２０，４２１，４２２，５２１，５３２，６２０，７２０，８２０：レンチキュラーレンズシート、１３０，２３０，３３０，４３０，５３１，５３２，６３０，７３０，８３０：情報表示部、６４０：ＩＣチップ、７４１：磁気テープ、７４２：バーコード、８４１：非接触型ＩＣチップ。
【図１】
0005548608.tif 000002
【図２】
0005548608.tif 000003
【図３】
0005548608.tif 000004
【図４】
0005548608.tif 000005
【図５】
0005548608.tif 000006
【図６】
0005548608.tif 000007
【図７】
0005548608.tif 000008
【図８】
0005548608.tif 000009
【図９】
0005548608.tif 000010
【図１０】
0005548608.tif 000011
【図１１】
0005548608.tif 000012